(57)【要約】【課題】本発明は同期して連動回動し、ふらつくことなくスムーズに回動できる３６０度開閉する２軸ヒンジ構造を提供する。【解決手段】第１の筐体の端部と第２の筐体の端部を回動連結するヒンジ装置であって、第１の筐体の端部と第２の筐体の端部には第１の回動部と第２の回動部が取り付けられ並設されている。第１の回動部と第２の回動部は基材を介して取り付けられ、基材に取り付けられた第１の回動軸、第２の回動軸の第１のリンク軸、第２のリンク軸にリンク板が連結され、回動が同期する構造となっている。リンク板に設けられた溝は、基材に取り付けられた固定軸に嵌まり第１の筐体と第２の筐体の回動を制御する構成になっている３６０度開閉２軸ヒンジ構造。【選択図】図１
2015004372.tif 000002
【特許請求の範囲】
【請求項１】
第１の筐体の端部と第２の筐体の端部とを回動連結するヒンジ構造であって、
前記第１の筐体の端部と前記第２の筐体の端部には、それぞれ第１の回動部と第２の回動部が取り付けられ並設されており、
前記第１の回動部と前記第２の回動部は基材を介して取り付けられ、
前記基材に取り付けられた第１の回動軸の第１のリンク軸と、第２の回動軸の第２のリンク軸にリンク板が連結され、回動が同期する構造となっており、
前記リンク板に設けられたリンク溝は、前記基材に取り付けられた固定軸に嵌まり、前記第１の筐体と前記第２の筐体の回動を制御する構成になっている３６０度開閉２軸ヒンジ構造。
【請求項２】
前記リンク板に設けられたリンク溝は回動の軌道に沿うＳ字のような曲線となる請求項１記載の３６０度開閉２軸ヒンジ構造。
【発明の詳細な説明】
【技術分野】
【０００１】
本発明は、例えば携帯電話やノート型パソコン等の折り畳み型の電子機器でリンクを用いた３６０度開閉する２軸を持ったヒンジ構造に関するものである。
【背景技術】
【０００２】
従来の３６０度開閉する２軸ヒンジ構造としてはリンクを用いて回動するものがあった。また同期回動はカム機構を用いている（例えば、特許文献１参照）。
【先行技術文献】
【特許文献】
【０００３】
【特許文献１】特開２００７−１９８４１６号公報
【発明の概要】
【発明が解決しようとする課題】
【０００４】
しかしながら、前記従来の３６０度開閉する２軸ヒンジ構造は、回動部Ａと回動部Ｂが連動して同期回動させるためにカム機構を用いている。カム機構を用いると設計が複雑であるためコスト高となり、また部品の精度を要するためその点でもコスト高となる。さらに軸のピッチ間距離が違う３６０度開閉する２軸ヒンジ構造を設計する場合、カム機構の設計を行う工数が必要となるため設計の効率化が図れない。
【０００５】
本発明は、３６０度開閉する２軸ヒンジ構造のカム機構によるコスト高を解決し、設計の効率化が図れる３６０度開閉する２軸ヒンジ構造を提供することを目的とする。
【課題を解決するための手段】
【０００６】
上記課題を解決するため、本願の第１の発明は、第１の筐体の端部と第２の筐体の端部とを回動連結するヒンジ構造であって、前記第１の筐体の端部と前記第２の筐体の端部には、それぞれ第１の回動部と第２の回動部が取り付けられ並設されており、前記第１の回動部と前記第２の回動部は基材を介して取り付けられ、前記基材に取り付けられた第１の回動軸の第１のリンク軸と、第２の回動軸の第２のリンク軸にリンク板が連結され、回動が同期する構造となっており、前記リンク板に設けられたリンク溝は、前記基材に取り付けられた固定軸に嵌まり、前記第１の筐体と前記第２の筐体の回動を制御する構成になっている３６０度開閉２軸ヒンジ構造である。また、本願の第２の発明は、第１の発明の構成に加え、前記リンク板に設けられたリンク溝は回動の軌道に沿うＳ字のような曲線となる３６０度開閉２軸ヒンジ構造である。
【発明の効果】
【０００７】
本発明の３６０度開閉２軸ヒンジ構造によれば、第１の回動部と第２の回動部が連動して同期回動させるためにリンク機構に設けた溝と固定軸とを用いている。リンク機構に設けた溝と固定軸とを用いると設計がシンプルな構造で同期回動させることができるため安価になる。
【０００８】
また軸のピッチ間距離が違う３６０度開閉する２軸ヒンジ構造を設計する場合、リンクの形状と溝の形状を変更すればよいので設計変更する部品点数が少ないので設計の効率化が図れる３６０度開閉する２軸を持ったヒンジ構造が実現できる。
【図面の簡単な説明】
【０００９】
【図１】実施の形態１における３６０度開閉２軸ヒンジ構造の正面図
【図２】実施の形態１における３６０度開閉２軸ヒンジ構造の正面図の断面図
【図３】実施の形態１における３６０度開閉する２軸を持ったヒンジ構造の分解図
【図４】実施の形態１における３６０度開閉２軸ヒンジ構造の回動の様子を表した図
【図５】実施の形態１における３６０度開閉２軸ヒンジ構造の回動の様子を表した図
【図６】実施の形態２における３６０度開閉２軸ヒンジ構造の回動の様子を表した図
【図７】実施の形態２における３６０度開閉２軸ヒンジ構造の回動の様子を表した図
【発明を実施するための形態】
【００１０】
以下、本発明を実施するための形態について、図面を参照しながら説明する。
【００１１】
（実施の形態１）
図１は本発明の実施の形態１における３６０度開閉する２軸を持ったヒンジ構造である。図２は実施の形態１における３６０度開閉２軸ヒンジ構造の正面図の断面図である。図３は実施の形態１における３６０度開閉する２軸を持ったヒンジ構造の分解図である。
【００１２】
（実施の形態１の構成の説明）
まず、本発明の実施の形態１における３６０度開閉する２軸を持ったヒンジ構造の構成について、図１を使って説明する。図１は、本発明の実施の形態１における基本の構造の正面図である。３６０度開閉する２軸を持ったヒンジ構造は、第１の回動部３と、第２の回動部４と、基材１１と、リンク板９と、固定軸１２とを備えている。
【００１３】
次に、本発明の実施の形態１における３６０度開閉する２軸を持ったヒンジ構造の各部について具体的に説明する。
【００１４】
第１の回動軸５は基材１１に固定される。第２の回動軸６は基材１１に固定される。固定軸１２は基材１１に固定される。第１の回動部３は第１の回動軸５に嵌まり、第１の回動軸５を中心にして回動する。第２の回動部４は第２の回動軸６に嵌まり、第２の回動軸６を中心にして回動する。第１の回動部３には第１のリンク軸７がある。第２の回動部４には第２のリンク軸８がある。リンク板９に設けられた第１のリンク穴は第１のリンク軸７に嵌まる。リンク板９に設けられた第２のリンク穴は第２のリンク軸８に嵌まる。リンク板９のリンク溝１０は固定軸１２が嵌まる。
【００１５】
（実施の形態１の動作の説明）
次に、本発明の実施の形態１における３６０度開閉する２軸を持ったヒンジ構造の動作について図４、図５を使って説明する。図４、図５は、本発明の実施の形態１における３６０度開閉する２軸を持ったヒンジ構造の回動の様子を表した図である。
【００１６】
第１の回動部３を回動させると、第１のリンク軸７に嵌まったリンク板９の第１のリンク穴とリンク板９のリンク溝１０に嵌まった固定軸１２を基軸に回動する。さらにリンク板９の第２のリンク穴に嵌まった第２のリンク軸８を介して第２の回動部４が連動して回動する。
【００１７】
（実施の形態１の作用・効果の説明）
本発明の実施の形態１における３６０度開閉する２軸を持ったヒンジ構造によれば、第１の筐体１と第２の筐体２は簡単な構造で同期する（連動する）回動が実現できる。
【００１８】
さらに固定軸１２がリンク溝１０に嵌まっていることで安定した回動が実現できる。
【００１９】
固定軸１２がリンク溝１０に嵌まっていないと、回動が安定せず第２の筐体２は３６０度回動する前に折り返し回動をはじめてしまう。
【００２０】
（実施の形態２）
本発明の実施の形態２について説明する。本発明の実施の形態２における３６０度開閉する２軸を持ったヒンジ構造である。
【００２１】
実施の形態２では、リンク溝１０はＳ字のような曲線形状となる。
【００２２】
実施の形態２において特に言及しない点については、実施の形態１と同様である。
【００２３】
（実施の形態２の動作の説明）
次に、本発明の実施の形態２における３６０度開閉する２軸を持ったヒンジ構造の動作について図６、図７を使って説明する。図６、図７は、本発明の実施の形態２における３６０度開閉する２軸を持ったヒンジ構造の回動の様子を表した図である。
【００２４】
第１の回動部３を回動させると、第１のリンク軸７に嵌まったリンク板９の第１のリンク穴とリンク板９のリンク溝１０に嵌まった固定軸１２を基軸に回動する。さらにリンク板９の第２のリンク穴に嵌まった第２のリンク軸８を介して第２の回動部４が連動して回動する。
【００２５】
（実施の形態２の作用・効果の説明）
実施の形態２における３６０度開閉する２軸を持ったヒンジ構造によれば、固定軸１２とリンク板９のリンク溝１０との隙間が少ないので、ガタツキが少ない回動が実現できる。
【００２６】
（なお書き）
なお、リンク板９に軸を設けて、基材１１に溝を設けてもよい。
【産業上の利用可能性】
【００２７】
本発明に係る３６０度開閉２軸ヒンジ構造は、携帯電話やノート型パソコン等の折り畳み型の電子機器の開閉機構として有用である。
【符号の説明】
【００２８】
１    第１の筐体
２    第２の筐体
３    第１の回動部
４    第２の回動部
５    第１の回動軸
６    第２の回動軸
７    第１のリンク軸
８    第２のリンク軸
９    リンク板
１０    リンク溝
１１    基材
１２    固定軸
【図１】
2015004372.tif 000003
【図２】
2015004372.tif 000004
【図３】
2015004372.tif 000005
【図４】
2015004372.tif 000006
【図５】
2015004372.tif 000007
【図６】
2015004372.tif 000008
【図７】
2015004372.tif 000009